(57)【特許請求の範囲】
【請求項１】
サッシ枠３に設けた内外のパネル５・５間に、スクリーン６が開閉操作可能に配置してある複層パネル付きサッシであって、
サッシ枠３の上下枠１・１または左右枠２・２に、ガイドレール１０・１０が平行に配置されており、
スクリーン６の一端側に可動框８が装着されており、
可動框８の両端が、ガイドレール１０・１０にランナーユニット９・９を介して転動自在に案内支持されており、
ランナーユニット９が、ランナー腕２９および取付部２８を備えたホルダー２６と、ランナー腕２９に遊転自在に軸支されたローラ２７とからなり、
可動框８は、主枠１３と、主枠１３に取り付けられる蓋枠１４とからなり、
主枠１３に装着した前記取付部２８に、主枠１３の内面壁と接当する接合部３１が、主枠１３の内面壁に対して接離変形自在に設けられて、ばね３２で該内面壁と圧接する向きに変位付勢されており、
パネル５の外面に、可動框８を外部から操作するための操作具３６を備えており、
可動框８には、マグネット体３５または磁性体が設けてあって、操作具３６には、可動框８と引き合う磁性体またはマグネット体３５が設けられている複層パネル付きサッシ。
【請求項２】
サッシ枠３に設けた内外のパネル５・５間に、スクリーン６が左右方向へ開閉操作可能に配置してある複層パネル付きサッシであって、
スクリーン６の一端側に可動框８が装着されており、
可動框８は、これの上端がサッシ枠３の上枠１に設けたガイドレール１０にランナーユニット９を介して左右方向へ移動自在に吊持されており、
ランナーユニット９が、ランナー腕２９および取付部２８を備えたホルダー２６と、ランナー腕２９に遊転自在に軸支されたローラ２７とからなり、
可動框８は、主枠１３と、主枠１３に取り付けられる蓋枠１４とからなり、
主枠１３に装着した前記取付部２８に、主枠１３の内面壁と接当する接合部３１が、主枠１３の内面壁に対して接離変形自在に設けられて、ばね３２で該内面壁と圧接する向きに変位付勢されており、
パネル５の外面に、可動框８を外部から操作するための操作具３６を備えており、
可動框８には、マグネット体３５または磁性体が設けてあって、操作具３６には、可動框８と引き合う磁性体またはマグネット体３５が設けられている複層パネル付きサッシ。
【請求項３】
サッシ枠３に設けた内外のパネル５・５間に、スクリーン６が開閉操作可能に配置してある複層パネル付きサッシであって、
サッシ枠３の上下枠１・１または左右枠２・２に、ガイドレール１０・１０が平行に配置されており、
スクリーン６の一端側に可動框８が装着されており、
可動框８の両端が、ガイドレール１０・１０にランナーユニット９・９を介して転動自在に案内支持されており、
パネル５の外面に、可動框８を外部から操作するための操作具３６を備えており、
可動框８には、マグネット体３５または磁性体が設けてあって、操作具３６には、可動框８と引き合う磁性体またはマグネット体３５が設けられており、
操作具３６が支持腕４５を備えており、
支持腕４５とサッシ枠３との間に、互いに係合して開放途中のスクリーン６および可動框８を位置保持するストッパー手段４６が設けられている複層パネル付きサッシ。
【請求項４】
サッシ枠３に設けた内外のパネル５・５間に、スクリーン６が左右方向へ開閉操作可能に配置してある複層パネル付きサッシであって、
スクリーン６の一端側に可動框８が装着されており、
可動框８は、これの上端がサッシ枠３の上枠１に設けたガイドレール１０に左右方向へ移動自在に吊持されており、
パネル５の外面に、可動框８を外部から操作するための操作具３６を備えており、
可動框８には、マグネット体３５または磁性体が設けてあって、操作具３６には、可動框８と引き合う磁性体またはマグネット体３５が設けられており、
操作具３６が支持腕４５を備えており、
支持腕４５とサッシ枠３との間に、互いに係合して開放途中のスクリーン６および可動框８を位置保持するストッパー手段４６が設けられている複層パネル付きサッシ。
【請求項５】
内外のパネル５・５間に開閉操作可能に配置したスクリーン６と、
両パネル５・５間に移動自在に設けた可動部材と、
一方のパネル５の外面に移動自在に配置される操作具３６とを備えており、
可動部材には、マグネット体３５または磁性体を有し、操作具３６には、可動部材と引き合う磁性体またはマグネット体３５を有し、
可動部材と操作具３６との双方または少なくとも一方に、パネル面を転動するローラ４１を備えており、
操作具３６で可動部材を移動させることにより、可動部材を介してスクリーン６を開閉操作できるようにした複層パネル。
【請求項６】
マグネット体３５は、極性が互い違いになる状態で隣接収容した磁石３８と、隣接する磁石３８どうしを磁気連結する吸着板３９とを備えている請求項５記載の複層パネル。  
【発明の詳細な説明】
【０００１】
【発明の属する技術分野】
本発明は、内外のパネル間に、外光や熱を遮閉し、あるいは外部からの覗き込みを遮閉するためのスクリーンが外部から開閉操作できるように配置した複層パネル付きサッシに関する。
【０００２】
【従来の技術】
内外の透明なパネル間にスクリーン（カーテン）を内蔵する形態の複層パネル付きサッシは、特公平６−９４７６５号公報に公知である。そこでは、窓枠の上部内面にスクリーンローラを配置し、このローラに巻き取ったスクリーンをモータ動力によって繰り出し操作し、あるいは巻き取ることにより、スクリーンを上下方向に開閉できる。
【０００３】
米国特許第３２５３６４４号公報には、内外の透明な両パネル間に折り畳み式のスクリーンを配置した複層パネル付きサッシが開示されている。そこでは、スクリーンの開閉端に受動マグネットを配置しておき、受動マグネットと互いに吸着し合う操作マグネットを上下操作することにより、スクリーンを開閉操作できる。操作マグネットは、ハンドル操作で上下動するワイヤに連結されていて、ハンドルを正転あるいは逆転操作することにより上下移動し、受動マグネットを介してスクリーンを開閉できる。
【０００４】
【発明が解決しようとする課題】
モータ動力を用いてスクリーンを開閉する前者の形態は、特殊なモータやスクリーンローラなどが不可欠であるうえ、これらの動作部品を収容するために専用の窓用サッシを用意しなければならず、サッシの全体コストが高く付く。スクリーンの開閉方向が上下方向に限られる不利もある。
【０００５】
スクリーンをワイヤーで一対のマグネットを介して開閉する後者の形態は、ワイヤを往復昇降させるためのハンドル機構や、いくつもの変向プーリーが不可欠であるため、スクリーンの開閉構造が複雑化し、これまたコスト高になる。スクリーンを一対のマグネットを介してワイヤで吊り下げ支持する構造を採るので、実質的にスクリーンを上下方向に開閉せざるを得ない。スクリーンを横向きに左右開閉することは不可能ではないが、スクリーンとフレーム、およびマグネットの重量をワイヤーで支えねばならず、スクリーンを安定的に開閉操作することが難しい。フレームやマグネットがパネルと接触して大きな摩擦抵抗を生じるので、スクリーンを開閉するために大きな操作力を要し、あるいは開閉途中にフレームが引っ掛かって開閉不能となる事態も予想される。
【０００６】
本発明の目的は、内外の両パネル間に配置したスクリーンをマグネット吸着方式の操作具で外部から開閉操作するに際し、従来例に比べて全体構造が簡単で、製作コストが少なくて済むスクリーン内蔵型の複層パネル付きサッシを提供することにある。本発明の目的は、スクリーンを横向きの左右方向に開閉できるのはもちろんのこと、上下方向にも開閉できて汎用性に優れた複層パネル付きサッシを提供することにある。本発明の目的は、ガイドレールで転動案内されるランナーユニットによってスクリーンの開閉始端が支持されており、従ってスクリーンを軽快にしかも円滑に開閉できるうえ、任意の開放位置に保持し続けることができる複層パネル付きサッシを提供することにある。本発明の目的は、スクリーンを開閉操作するための操作具を、必要に応じて取り外して別途保管でき、従っていたずら等によってスクリーンが開放状態のまま放置されるのを阻止できる複層パネル付きサッシを提供することにある。
【０００７】
【課題を解決するための手段】
本発明の複層パネル付きサッシは、図２に示すごとくサッシ枠３に設けた内外のパネル５・５間に、スクリーン６が開閉操作可能に配置してある。サッシ枠３の上下枠１・１または左右枠２・２に、ガイドレール１０・１０を平行に配置する。スクリーン６の一端側に可動框８を装着してある。可動框８の両端は、図１および図３に示すごとくガイドレール１０・１０にランナーユニット９・９を介して転動自在に案内支持する。そして、パネル５の外面には、図６に示すごとく可動框８を外部から操作するための操作具３６を備えている。可動框８と操作具３６とは、互いに引き合うマグネット吸着手段が設けられている。すなわち、可動框８には、マグネット体３５または磁性体が設けてあって、操作具３６には、可動框８と引き合う磁性体またはマグネット体３５が設けられている。
【０００８】
また、本発明は、サッシ枠３に設けた内外のパネル５・５間に、スクリーン６が左右方向へ開閉操作可能に配置してある複層パネル付きサッシにおいて、スクリーン６の一端側に可動框８を装着してある。可動框８は、これの上端がサッシ枠３の上枠１に設けたガイドレール１０に左右方向へ移動自在に吊持されており、パネル５の外面に、可動框８を外部から操作するための操作具３６を備えている。そして、可動框８と操作具３６とは、互いに引き合うマグネット吸着手段が設けられている。すなわち、可動框８には、マグネット体３５または磁性体が設けてあって、操作具３６には、可動框８と引き合う磁性体またはマグネット体３５が設けられている。
【０００９】
可動框８と操作具３６との双方または少なくとも一方には、パネル５の外表面上を転動するローラ４１を備えている。
【００１０】
マグネット体３５は、図６〜図８に示すごとくケース３７と、ケース３７内に極性が互い違いになる状態で隣接収容した複数個の磁石３８と、隣接する磁石３８どうしを磁気連結する吸着板３９とを備えたものとすることができる。
【００１１】
ランナーユニット９は、図１および図３に示すごとくランナー腕２９および取付部２８を備えたホルダー２６と、ランナー腕２９で遊転自在に軸支したローラ２７とからなる。可動框８は、主枠１３と、主枠１３に取り付けられる蓋枠１４とからなり、主枠１３に装着した取付部２８に、主枠１３の内面壁と接当する接合部３１を設ける。接合部３１は、図３および図４に示すごとく主枠１３の内面壁に対して接離変形自在に設けられ、ばね３２で該内面壁と圧接する向きに変位付勢されている。
【００１２】
可動框８は、例えば図９に示すごとく支持腕４５を備えており、支持腕４５とサッシ枠３との間には、互いに係合して開放途中のスクリーン６および可動框８を位置保持するためのストッパー手段４６を設けることができる。
【００１３】
また、本発明は内外のパネル５・５間にスクリーン６を開閉操作可能に配置した複層パネルにおいて、両パネル５・５間に移動自在に設けた可動部材と、一方のパネル５の外面に移動自在に配置される操作具３６とを備えており、可動部材には、マグネット体３５または磁性体を有し、操作具３６には、可動部材と引き合う磁性体またはマグネット体３５を有し、可動部材と操作具３６との双方または少なくとも一方に、パネル面を転動するローラ４１を備えており、操作具３６で可動部材を移動させることにより、可動部材を介してスクリーン６を開閉操作できるようにしたものである。ここでの可動部材とは、先の可動框８に相当する部材ではあるが、ガイドレール１０に転動案内されるものに限定されず、例えばスクリーン６の上端が移動自在に吊り下げ支持されていて、このスクリーン６の上下中間部位などに直接又は間接的に付帯する部材を含む概念である。
【００１４】
その複層パネルにおいて、マグネット吸着手段としてマグネット体３５が、極性が互い違いになる状態で隣接収容した磁石３８と、隣接する磁石３８どうしを磁気連結する吸着板３９とを備えているものにすることができる。
【００１５】
【作用および発明の効果】
請求項１および請求項３に係る本発明によれば、スクリーン６の一端側に装着した可動框８の両端が、対向するガイドレール１０・１０にランナーユニット９・９を介して転動自在に案内支持されており、そのうえでパネル５をはさんで対向する可動框８と操作具３６とが、マグネット吸着手段で互いに引き合うものとなっている。従って、外部の操作具３６を介して可動框８を操作具３６と同行移動させることができるので、従来のこの種の複層パネル付きサッシに比べてスクリーン６を開閉操作するための構造を著しく簡素化できる。具体的には、スクリーン６を開閉するのに、モータやローラを設ける必要がない。あるいはワイヤーやこれを引き回すための変向プーリ、それにハンドル機構なども設ける必要がない利点を有する。その結果、スクリーン内蔵の複層パネル付きサッシでありながら、その全体構造を簡素化して、製作コストを削減化できる。
【００１６】
更に請求項１および請求項３に係る本発明によれば、可動框８と操作具３６とをパネル５を介してマグネット吸着手段で連結した状態でスクリーン６の開閉を行うので、両パネル５・５間を密封化するのが容易であり、そのためのシール構造を簡素化できるうえに、例えば浴室等の湿気が多い場所に適用した場合にも、両パネル５・５間の内部への湿気の侵入を確実に防止して、スクリーン６の変質や劣化を阻止できる。可動框８の両端がランナーユニット９を介してガイドレール１０・１０に転動案内されており、可動框８でスクリーン６を開閉できるようにしたので、スクリーン６を横向きに左右開閉できるのはもちろんのこと、必要に応じて上下方向に開閉する形態を選択することもでき、従来のこの種のサッシに比べて、多くの部品の共通化を実現しながら汎用性を向上できる点で有利である。
【００１７】
請求項２および請求項４に係る本発明によれば、両パネル５・５間にスクリーン６を左右方向へ開閉操作可能に配置し、サッシ枠の上枠１に設けたガイドレール１０に、スクリーン６の一端側に装着した可動框８の上端が左右方向へ移動自在に吊持されている。そのうえで、一方のパネル５の外面に先の操作具３６を備えている。これによれば、下枠１のガイドレール１０を省略して上枠１側のガイドレール１０に可動框８を吊り下げた簡易構造にできながらも、可動框８と操作具３６とに設けたマグネット吸着手段により、可動框８の下端側が揺動するのを規制し得るから、内蔵のスクリーン６を支障なく左右方向へ開閉操作でき、装置全体の製造コストを大幅に低減化できる利点を有する。
【００１８】
請求項１ないし請求項４に係る本発明によれば、可動框８と操作具３６とに、互いに引き合うマグネット吸着手段が設けられているので、パネル５に対して操作具３６をずり落ち不能に、しかし分離可能にマグネットの磁力を設定しておくことにより、例えば複層パネル付きサッシが浴室の窓に設置される場合には、スクリーン６を閉じたのち操作具３６を取り外して別の場所に保管しておくことができるので、いたずら等によってスクリーン６が開放状態のまま放置されるのを阻止できる。
【００１９】
【００２０】
【００２１】
請求項１および請求項２に係る本発明によれば、ランナーユニット９を構成するホルダー２６の取付部２８に接合部３１を設け、これをばね３２で変位付勢しているので、ホルダー２６の可動框８に対する組み付けの手間を省きながら、組み付け後のホルダー２６の位置保持を確実化し、さらにガイドレール１０の対向間隔のばらつきにも柔軟に対応することができる。例えば、取付部２８を可動框８の定位置にビスで締結固定すると、ガイドレール１０の対向間隔にばらつきがある場合に、ランナーユニット９がガイドレール１０に引っ掛かって、可動框８を円滑に開閉することが困難になるうえ、ばらつきに対応するための調整にも手間が掛かるが、こうした状況にも柔軟に対応できる。組立時にはランナーユニット９を可動框８に対して仮組みした後、可動框８を数回開閉操作することにより、接合部３１の可動框８に対する係合位置が最適の位置へずれ動いて、その位置において取付部２８を固定でき、組み付け作業性にも優れる。
【００２２】
請求項３および請求項４に係る本発明によれば、操作具３６に支持腕４５を設け、この支持腕４５とサッシ枠との間にストッパー手段４６を設けている。従って、ストッパー手段４６を付加するだけで、スクリーン６を任意の開放位置に確りと保持することができる。その結果、例えばスクリーン６を上下方向に開閉する形式にも本発明を適用でき、需要者のニーズに応じた汎用性に優れたものが得られる。
【００２３】
請求項５に係る本発明の複層パネルによれば、内外のパネル５・５間にスクリーン６と可動部材とを移動自在に配置し、パネル５の外面に移動自在に配置した操作具３６を動かすことにより、マグネット吸着手段で可動部材を介してスクリーン６が外部から開閉操作できるものとしてある。その際に、可動部材および／または操作具３６にパネル上面を転動するローラ４１を備えているので、可動部材および／または操作具３６は該ローラ４１を介してパネル面上を接触移動することになり、スクリーン６の開閉作動を円滑にできるとともに、パネル５に摺り疵を付けることもない。
【００２４】
そのうえで請求項６に係る本発明によれば、磁石３８の必要磁力を小さくして、その製作コストの低減化に貢献したものが得られることになる。
【００２５】
【実施例】
図１ないし図８は本発明に係る複層パネル付きサッシの実施例を示す。図１および図２において、複層パネル付きサッシは上下枠１・１と左右枠２・２とで縦長四角形状に組まれたサッシ枠３と、サッシ枠３にスペーサー４を介して支持した内外の透明なパネル５・５とからなり、両パネル５・５間にスクリーン６を左右方向へ開閉操作可能に収納配置したものである。
【００２６】
パネル５は板ガラスを予測しているが、透明合成樹脂板でもよい。スクリーン６は、プラスチック繊維を編んだ透かし生地を素材にして、一定間隔おきに逆向きに折りぐせを付けて形成した折り畳み式のカーテンになっており、生地自体がある程度の自己保形性を備えていて自立できる。プラスチックシートや布生地でスクリーン６を形成してもよく、その場合には骨材を付加して自立性を持たせることが望ましい。上下枠１・１および左右枠２・２は、それぞれ同一断面形状のアルミニウム形材からなる。
【００２７】
スクリーン６の一端（図上右側）は固定枠７に固定し、他端は可動框８に固定する。スクリーン６をより小さな操作抵抗で開閉操作するために、可動框８の上下の両端にランナーユニット９・９を装着し、各ランナーユニット９は上下枠１・１に沿って配置した一対のガイドレール１０・１０に左右方向へ転動案内できるように支持してある。図１において上下のガイドレール１０・１０は、スペーサー４と同幅の断面コ字形のアルミニウム形材からなり、その内隅に後述するローラ２７の上下周面を転動案内するためのレール部１１が上下対向状に設けられている。
【００２８】
図５において可動框８は、それぞれアルミニウム形材を素材とする主枠１３と蓋枠１４とからなり、主枠１３にランナーユニット９のホルダー２６を差し込んで連結する。主枠１３は断面コ字形の中空枠からなり、その内面一側寄りに区分壁１５を突設して、枠内空間がホルダー２６を収容するための大区室１６と、スクリーン６の端部を蓋枠１４と協同して挟持固定するための小区室１７とに区分されている。区分壁１５とこれに対向する大区室１６の側壁とには、上下方向に走る一対の係合溝１８がそれぞれ設けてある。大区室１６の側壁の外面には、蓋枠１４を係止するための止溝１９が凹み形成してある。小区室１７の内面には抜け止め用の突起群２０が形成されている。
【００２９】
蓋枠１４は平板に近い断面コ字形の枠体からなり、その左右の一側に先の止溝１９に掛け止め係合される係止壁２２を設け、他側に小区室１７に圧嵌係合されるリブ２３を突設してなる。リブ２３には先の突起群２０と係合する突起群２４が設けてある。スクリーン６の一端を小区室１７内に折り込み、蓋枠１４を主枠１３に対して蓋合わせ状に組み付けて、リブ２３を小区室１７に圧嵌係合することにより、可動框８にスクリーン６の一端が装着される。
【００３０】
図３においてランナーユニット９は、プラスチック成形品からなるホルダー２６と、ホルダー２６に遊転自在に軸支した左右一対のローラ２７とからなる。上部のホルダー２６は、先の主枠１３に差し込み連結される取付部２８と、取付部２８の上端左右に張り出したランナー腕２９とで略Ｔ字状に形成する。但し、開閉始端側のランナー腕２９は横方向への突出量を小さくし、他方のランナー腕２９の突出量は大きく設定する。これらランナー腕２９の突端寄りの片面においてローラ２７を軸支する。ローラ軸はランナー腕２９と一体に形成してある。
【００３１】
取付部２８は平板状の面壁の左右側縁および片面に補強用のリブを縦横に配置して構成されており、その左右側縁の上下に主枠１３の前記係合溝１８と嵌合する連結片３０を突設する。図３に示すように、取付部２８の左側縁の上下中途部には、接合部３１を設け、これを圧縮コイル形のばね３２で外側方へ向って変位付勢している。ばね３２を収容する区画は、内外の前後方向へ貫通している。従って、接合部３１は左右方向へ弾性変形できる。
【００３２】
取付部２８を主枠１３に差し込み、その連結片３０が係合溝１８に嵌合した状態においては、連結片３０と係合溝１８との間に僅かな余裕隙間が存在している。この余裕隙間を吸収して、取付部２８を主枠１３に対して固定保持するために接合部３１が設けられている。図４に示すように、ばね３２で押圧付勢された接合部３１は、前記止溝１９を有する側壁の内面に密着して、取付部２８が不用意に上下動するのを阻止する。但し、ランナーユニット９をガイドレール１０に組み込んだ状態においては、可動框８を開閉することによって、上下のガイドレール１０の対向間隔のばらつきに応じて、取付部２８が上下にずれ動いて位置調整を行える。なお、下側のランナーユニット９も上側のそれと実質的に同様の構造を以て下側のガイドレール１０に案内支持されることを予想している。尤も、下側のランナーユニット９は、下側のガイドレール１０に沿って単に転動案内されるようにすれば足りる。
【００３３】
スクリーン６は可動框８を介して開閉操作される。そのために、蓋枠１４の上下中途部の２個所にはマグネット体３５を埋設配置し、これらのマグネット体３５に対して、図２に示すごとく内側のパネル５を間にして操作具３６が該パネル５の室内側の外面に配置される。
【００３４】
図８において、各マグネット体３５は一側が開口する角箱状のケース３７と、ケース３７内に極性が互い違いになる状態で隣接収容した２個の磁石３８と、隣接する磁石３８どうしを磁気連結する吸着板３９と、磁石３８用の収容室の下方に設けた一対のローラ室４０に収容されて、ケース３７に遊転自在に軸支される一対のローラ４１とで構成する。吸着板３９は蓋を兼ねており、磁石３８と共にケース３７内に装填し、その前後縁をケース内の突起に圧嵌係合することにより、ケース３７と一体化され、磁石３８の脱落を防いでいる。
【００３５】
ローラ４１はケース３７と一体に成形された上下一対の軸に遊転自在に軸支されており、図６に示すごとくケース３７を蓋枠１４の上下に圧嵌装着した状態において、ローラ４１の外周面がケース３７の外面より僅かに突出して、ローラ４１が他に先行してパネル５の内側面と接当できるようにしてある。すなわちローラ４１のみをパネル５に接触回転させることにより、ケース３７がパネル５に接触することによる摩擦抵抗を避けて、スクリーン６の開閉を円滑化し、さらに擦過痕がパネル５に付くのを避けるためである。
【００３６】
図６および図７において操作具３６は、プラスチック成形品からなる上下に長いホルダー４３と、ホルダー４３の片面上下に圧嵌装着した上下一対のマグネット体３５とからなる。このマグネット体３５は可動框８側のそれと同一仕様である。ここでの上下のマグネット体３５の上下間隔は、蓋枠１４に固定した上下のマグネット体３５の上下間隔に一致しているが、磁石３８の極性はパネル５を間にして互いに吸引し合うように配置してある。操作具３６側においても上下のローラ４１がパネル５の外面に先当りして、ホルダー４３の壁面がパネル５の表面から浮き離れるようにしてある。
【００３７】
可動框８と操作具３６との各マグネット体３５・３５どうしが、パネル５を挟んでこれの内外に正対する状態では、お互いの磁気吸着作用によって、室内側に位置する操作具３６が自重でずり落ちることなく可動框８と正対している。この状態で操作具３６を手にしてこれを左右いずれか一方へ変位操作すると、可動框８は操作具３６に同行して同方向へ移動するので、スクリーン６を開閉できる。なお、操作具３６はパネル５の外表面から引き離せるように、各磁石３８の磁力が設定してある。
【００３８】
上記の実施例以外に、スクリーン６の両端に可動框８を設けておき、両可動框８のそれぞれにマグネット体３５を設け、かつ操作具３６を配置しておけば、スクリーン６を左右いずれの側からでも開閉操作できる。また、両パネル５・５間に２組のスクリーン６を配置し、各スクリーン６を中央から両側端へ向かって両開き状に開閉操作することができるようにしてもよい。可動框８と操作具３６との対向面に設けるべきマグネット吸着手段としては、一方にマグネット（磁石）を、他方に鉄片のみを設けた形式でもよい。
【００３９】
スクリーン６は上下方向に開閉操作してもよい。この場合には、図９に示すごとく左右枠２・２に、これに沿って一対のガイドレール１０・１０を配置し、例えばスクリーン６の上端を左右間に架設した固定枠７に固定し、スクリーン６の下端に可動框８を固定する。この場合は、開放途中のスクリーン６が自重で降下するのを防ぐために、可動框８の左右両端寄りにマグネット体３５を配置し、各マグネット体３５に対応して左右一対の操作具３６を設ける。さらに操作具３６に支持腕４５を一体に設け、支持腕４５とサッシ枠３の左右枠２・２の周面との間に、互いに係合してスクリーン６および可動框８等の重量を支えるストッパー手段４６を設ける。
【００４０】
図示例のストッパー手段４６は、左右枠２・２に上下間にわたって一定間隔おきに形成した一群の係合孔４７と、この係合孔４７に出退係合するピン４８とで構成してある。ピン４８は支持腕４５側に出退自在に支持して、ばねで係合孔４７と係合する向きに進出付勢しておくことができる。
【００４１】
また、本発明は、先のサッシ枠３に後付けされる複層パネルであってもよく、その場合は添付図面を借て説明すると、スペーサ機能を持つ保持部材で所定の間隔に保持される内外のパネル５・５と、両パネル５・５間に左右方向へ開閉操作可能に配置されるスクリーン６と、両パネル５・５間に左右方向へ移動自在に設けられる可動部材（先の可動框８に相当）と、屋外に臨む窓サッシに適用するときは室内側の一方のパネル５の外面に左右方向へ移動自在に配置される操作具３６とを備えたものとする。スクリーン６は自己保持性を有する折り畳み式カーテンが好ましく、その上端を直接にまたは間接的に両パネル５・５間の上端に左右間にわたって架設したガイドレールに吊り下げ支持する。可動部材はスクリーン６の開閉始端側に付設する。この可動部材は、スクリーン６に対して先の可動框８と同様に上下間にわたって枠状に設けられたものでもよいし、スクリーン６の上下中間部位に付設されていてもよい。
【００４２】
かかる複層パネルにおいて、可動部材と操作具３６とをパネル５をはさんで対向させ、両者の対向面に前述のマグネット体３５をそれぞれ設ける。その際に、可動部材と操作具３６とには、パネル５の表面に先当たり状態で接触して転動する前記ローラ４１を備えている点が注目されるべきである。これによれば、操作具３６を手にしてこれを左右方向へパネル面に沿って動かすことにより、内部の可動部材を移動させると、スクリーン６を外部から開閉操作できるものとなる。
【００４３】
この複層パネルにおいても、前記ローラ４１は可動部材と操作具３６とのいずれか一方に存在すれば足り、他方は別の形式にすることができる。スクリーン６は上下方向に開閉操作する形式でもよい。
【図面の簡単な説明】
【図１】図３におけるＡ−Ａ線断面図である。
【図２】全体の正面図である。
【図３】上側のランナーユニットを示す要部の縦断正面図である。
【図４】図３におけるＢ−Ｂ線断面図である。
【図５】可動框を分解した状態での横断平面図である。
【図６】図２におけるＣ−Ｃ線断面図である。
【図７】操作具の正面図である。
【図８】マグネット体の分解斜視図である。
【図９】本発明の別実施例を示す正面図である。
【符号の説明】
１  上下枠
２  左右枠
５  パネル
６  スクリーン
８  可動框
９  ランナーユニット
１０  ガイドレール
１３  主枠
１４  蓋枠
２６  ホルダー
２７  ローラ
２８  取付部
２９  ランナー腕
３１  接合部
３２  ばね
３５  マグネット体
３６  操作具
３７  ケース
３８  磁石
３９  吸着板
４１  ローラ
【図１】
0003564342.tif 000002
【図２】
0003564342.tif 000003
【図３】
0003564342.tif 000004
【図４】
0003564342.tif 000005
【図５】
0003564342.tif 000006
【図６】
0003564342.tif 000007
【図７】
0003564342.tif 000008
【図８】
0003564342.tif 000009
【図９】
0003564342.tif 000010